(57)【要約】【課題】ＥＩＴ情報の取得タイミングと録画予約番組の開始タイミングとの間にずれがある場合でも、録画予約番組をその先頭位置から録画する。【解決手段】所定周期で番組データとともに送信されるＥＩＴ情報が示す現在放送中の番組データが、録画予約されていない番組データから録画予約された番組データに変化した現ＥＩＴ取得時刻と、その現ＥＩＴ取得時刻の一つ前のＥＩＴ情報が取得された前ＥＩＴ取得時刻とを録画予約指示に基づいて検出するＥＩＴ情報変化時刻検出部２２と、番組データのシーンが切り替わったシーンチェンジ時刻を検出するシーンチェンジ時刻検出部２３と、前ＥＩＴ取得時刻と現ＥＩＴ取得時刻との間にシーンチェンジ時刻があると判断した場合、そのシーンチェンジ時刻から番組データを記録媒体２０に記録する記録制御部１８とを備える。【選択図】図１
2009260429.tif 000002
【特許請求の範囲】
【請求項１】
番組データと、現在放送中の前記番組データの識別情報である現番組識別情報および次に放送される前記番組データの識別情報である次番組識別情報を所定周期で示すＥＩＴ情報と、を少なくとも含む放送データを受信する受信手段と、
受信された前記放送データを前記番組データと前記ＥＩＴ情報とに分離する分離手段と、
ユーザによる録画予約指示と前記ＥＩＴ情報とに基づいて、前記現番組識別情報が前記録画予約指示により録画予約済み番組データのものに変化した時刻を示す現ＥＩＴ取得時刻と、その現ＥＩＴ取得時刻の一つ前の前記ＥＩＴ情報が取得された時刻を示す前ＥＩＴ取得時刻とを検出するＥＩＴ情報変化時刻検出手段と、
前記番組データにおけるシーンチェンジ時刻を検出するシーンチェンジ時刻検出手段と、
少なくとも前記前ＥＩＴ取得時刻から前記現ＥＩＴ取得時刻までの前記番組データを記憶する容量を有し、前記番組データを記憶するリングバッファと、
前記前ＥＩＴ取得時刻と前記現ＥＩＴ取得時刻との間に前記検出されたシーンチェンジ時刻がある場合、そのシーンチェンジ時刻から前記リングバッファに記憶された前記番組データを記録媒体に記録する記録制御手段と、
を備えるデジタル放送番組記録装置。
【請求項２】
番組データと、現在放送中の前記番組データの識別情報である現番組識別情報および次に放送される前記番組データの識別情報である次番組識別情報を所定周期で示すＥＩＴ情報と、を少なくとも含む放送データが記録された記録媒体から前記放送データを読み出す再生制御手段と、
読み出された前記放送データを前記番組データと前記ＥＩＴ情報とに分離する分離手段と、
ユーザによる録画予約指示と前記ＥＩＴ情報とに基づいて、前記現番組識別情報が前記録画予約指示により録画予約済み番組データのものに変化した時刻を示す現ＥＩＴ取得時刻と、その現ＥＩＴ取得時刻の一つ前の前記ＥＩＴ情報が取得された時刻を示す前ＥＩＴ取得時刻とを検出するＥＩＴ情報変化時刻検出手段と、
前記番組データにおけるシーンチェンジ時刻を検出するシーンチェンジ時刻検出手段と、
前記前ＥＩＴ取得時刻と前記現ＥＩＴ取得時刻との間に前記検出されたシーンチェンジ時刻がある場合、前記記録媒体から前記前ＥＩＴ取得時刻から前記検出されたシーンチェンジ時刻までの前記番組データを消去する番組データ編集手段と、
を備えるデジタル放送番組記録装置。
【発明の詳細な説明】
【技術分野】
【０００１】
本発明は、デジタル放送データを記録するデジタル放送番組記録装置に関する。
【背景技術】
【０００２】
デジタル放送では、番組データの付加情報として、例えば、周期的にＥＩＴ（Event Information Table）情報等を付加している。ＥＩＴ情報は、現在放送中の番組の名称や内容等の番組関連情報と、次に放送予定の番組の番組関連情報等が含まれているため、このＥＩＴ情報を利用することにより放送時間が変更になった場合でも、柔軟に対応することができる。例えば、ＥＩＴ情報を利用した従来のデジタル放送番組記録装置として、予約番組のＩＤと、ＥＩＴ情報に含まれる現在放送中の番組のＩＤとが一致するか否かを監視し、一致したときに予約録画を開始するものがある（例えば、特許文献１参照。）。
【特許文献１】特開２００１−３５９００４号公報
【発明の開示】
【発明が解決しようとする課題】
【０００３】
しかし、上記特許文献１の技術では、ＥＩＴ情報の取得タイミングと、録画予約番組の開始タイミングとの間にずれがあった場合、録画予約番組の開始タイミングから正確に予約録画できない、という問題があった。
【０００４】
そこで、本発明は、ＥＩＴ情報の取得タイミングと、録画予約番組の開始タイミングとの間にずれがある場合でも、録画予約番組をその先頭位置から録画することができるデジタル放送番組記録装置を提供することを目的とする。
【課題を解決するための手段】
【０００５】
上記課題を解決するため、本発明のデジタル放送番組記録装置は、番組データと、現在放送中の前記番組データの識別情報である現番組識別情報および次に放送される前記番組データの識別情報である次番組識別情報を所定周期で示すＥＩＴ情報と、を少なくとも含む放送データを受信する受信手段と、受信された前記放送データを前記番組データと前記ＥＩＴ情報とに分離する分離手段と、ユーザによる録画予約指示と前記ＥＩＴ情報とに基づいて、前記現番組識別情報が前記録画予約指示により録画予約済み番組データのものに変化した時刻を示す現ＥＩＴ取得時刻と、その現ＥＩＴ取得時刻の一つ前の前記ＥＩＴ情報が取得された時刻を示す前ＥＩＴ取得時刻とを検出するＥＩＴ情報変化時刻検出手段と、前記番組データにおけるシーンチェンジ時刻を検出するシーンチェンジ時刻検出手段と、少なくとも前記前ＥＩＴ取得時刻から前記現ＥＩＴ取得時刻までの前記番組データを記憶する容量を有し、前記番組データを記憶するリングバッファと、前記前ＥＩＴ取得時刻と前記現ＥＩＴ取得時刻との間に前記検出されたシーンチェンジ時刻がある場合、そのシーンチェンジ時刻から前記リングバッファに記憶された前記番組データを記録媒体に記録する記録制御手段と、を備える。
また、本発明の別のデジタル放送番組記録装置は、番組データと、現在放送中の前記番組データの識別情報である現番組識別情報および次に放送される前記番組データの識別情報である次番組識別情報を所定周期で示すＥＩＴ情報と、を少なくとも含む放送データが記録された記録媒体から前記放送データを読み出す再生制御手段と、読み出された前記放送データを前記番組データと前記ＥＩＴ情報とに分離する分離手段と、ユーザによる録画予約指示と前記ＥＩＴ情報とに基づいて、前記現番組識別情報が前記録画予約指示により録画予約済み番組データのものに変化した時刻を示す現ＥＩＴ取得時刻と、その現ＥＩＴ取得時刻の一つ前の前記ＥＩＴ情報が取得された時刻を示す前ＥＩＴ取得時刻とを検出するＥＩＴ情報変化時刻検出手段と、前記番組データにおけるシーンチェンジ時刻を検出するシーンチェンジ時刻検出手段と、前記前ＥＩＴ取得時刻と前記現ＥＩＴ取得時刻との間に前記検出されたシーンチェンジ時刻がある場合、前記記録媒体から前記前ＥＩＴ取得時刻から前記検出されたシーンチェンジ時刻までの前記番組データを消去する番組データ編集手段と、を備える。
【発明の効果】
【０００６】
本発明によれば、前ＥＩＴ取得時刻と現ＥＩＴ取得時刻との間にシーンチェンジ時刻がある場合、そのシーンチェンジ時刻から番組データを記録媒体に記録したり、シーンチェンジ時刻までの録画済番組データを削除するので、ＥＩＴ情報の取得タイミングと、録画予約番組の開始タイミングとの間にずれがある場合でも、録画予約番組の正確な先頭位置から保存することができる。
【発明を実施するための最良の形態】
【０００７】
《実施形態１》
本発明の実施形態１であるデジタル放送記録装置１Ａの構成を、図１を参照して説明する。
【０００８】
本実施形態によるデジタル放送記録装置１Ａは、放送受信部１１と、第１信号分離部１２と、第１ＭＰＥＧデコーダ１３と、映像出力部１４と、第１音声デコーダ１５と、音声出力部１６と、録画予約指示記憶部１７と、番組データ記録制御部１８と、リングバッファ１９と、記録媒体２０と、ＥＩＴ情報抽出部２１と、ＥＩＴ情報変化時刻検出部２２と、シーンチェンジ時刻検出部２３と、データベース２４と、機能設定値記憶部２５と、番組データ再生制御部２６と、第２信号分離部２７と、第２ＭＰＥＧデコーダ２８と、第２音声デコーダ２９と、システムコントローラ３０とを有する。
【０００９】
放送受信部１１はチューナであり、アンテナ２で受信された放送電波から、録画予約により指定されたデジタル放送番組が放送される放送チャンネルの放送データを復調する。この放送データは、符号化された映像データと、符号化された音声データと、番組メタデータと、所定時間間隔ごとの放送時刻を示す時刻情報とを有する。この番組メタデータには、現在、最大３秒程度の周期で更新されるＥＩＴ[ｐ／ｆ]情報が含まれている。また、このＥＩＴ[ｐ／ｆ]情報には、現在放送中の番組の識別情報である現番組識別情報ｐ（present）と、次に放送される番組の識別情報である次番組識別情報ｆ（following）が含まれている。
【００１０】
第１信号分離部１２は、放送受信部１１で受信した放送データをそれぞれ時刻情報が付加された、符号化された映像データと、符号化された音声データと、番組メタデータとに分離する。
【００１１】
第１ＭＰＥＧデコーダ１３は、第１信号分離部１２で分離された符号化された映像データを映像データに復号する。
【００１２】
映像出力部１４は、第１ＭＰＥＧデコーダ１３で復号された映像データを、外部のＴＶモニタ３に送信し出力する。
【００１３】
第１音声デコーダ１５は、第１信号分離部１２で分離された符号化された音声データを音声データに復号する。
【００１４】
音声出力部１６は、第１音声デコーダ１５で復号された音声データを、外部の音響再生装置４に送信し出力する。
【００１５】
録画予約指示記憶部１７は、ユーザにより指定され録画予約番組に関する情報である、番組識別情報、放送予定時間、放送チャンネル等を記憶する。
【００１６】
番組データ記録制御部１８は、第１信号分離部１２で分離された符号化された番組データを取得して、リングバッファ１９および記録媒体２０に記録するための制御を行う。
【００１７】
リングバッファ１９は、番組データ記録制御部１８の制御により、第１信号分離部１２で分離された最新の所定期間分の符号化された番組データを上書きしながら順次記録する。
【００１８】
記録媒体２０は、番組データ記録制御部１８の制御により、第１信号分離部１２で分離された符号化された番組データを記録する。
【００１９】
ＥＩＴ情報抽出部２１は、第１信号分離部１２で分離された番組メタデータから、ＥＩＴ[ｐ／ｆ]情報を抽出する。
【００２０】
ＥＩＴ情報変化時刻検出部２２は、ＥＩＴ情報抽出部２１で抽出されたＥＩＴ[ｐ／ｆ]情報が、録画予約されていない番組識別情報から録画予約された番組識別情報に変化したときの時刻を示す現ＥＩＴ取得時刻情報と、この第1時刻情報の一つ前のＥＩＴ[ｐ／ｆ]情報が取得されたときの時刻を示す前ＥＩＴ取得時刻情報とを取得し、データベース２４およびシステムコントローラ３０に送出する。
【００２１】
シーンチェンジ時刻検出部２３は、第１ＭＰＥＧデコーダ１３においてデコードされた映像データおよび第１音声デコーダ１５においてデコードされた音声データを、録画予約により指定されたデジタル放送番組開始時刻の所定期間前から順次取得し、これらの映像データおよび音声データの少なくともいずれか一方に基づいて、放送番組または放送番組内のシーンチェンジ位置を検出し、このシーンチェンジ位置に対応する時刻を示すシーンチェンジ時刻情報を取得する。
【００２２】
データベース２４は、ＥＩＴ情報変化時刻検出部２２で取得された現ＥＩＴ取得時刻情報および前ＥＩＴ取得時刻情報と、シーンチェンジ時刻検出部２３で取得されたシーンチェンジ時刻情報を、番組メタデータと関連付けて記憶する。
【００２３】
機能設定値記憶部２５は、番組データ記録制御部１８によりデータが記録される機能が実行されるときの、記録先頭位置を選択するための設定情報を記憶する。
【００２４】
番組データ再生制御部２６は、ユーザから入力される再生指示に従って記録媒体２０に記録された符号化映像データおよび符号化音声データを読み出す。
【００２５】
第２信号分離部２７は、番組データ再生制御部２６で読み出されたデータを、符号化された映像データと、符号化された音声データとに分離する。
【００２６】
第２ＭＰＥＧデコーダ２８は、第２信号分離部２７で分離された符号化された映像データをベースバンド映像信号に復号する。
【００２７】
第２音声デコーダ２９は、第２信号分離部２７で分離された符号化された音声データをベースバンド音声信号に復号する。
【００２８】
システムコントローラ３０は、デジタル放送記録装置１Ａ内で実行される各動作が適切なタイミングで動作するように制御を行う。例えば、ＥＩＴ情報変化時刻検出部２２において検出された前ＥＩＴ取得時刻から現ＥＩＴ取得時刻までの間に、シーンチェンジ時刻検出部２３で検出されたシーンチェンジ時刻が含まれるか否かを判断し、前ＥＩＴ取得時刻から現ＥＩＴ取得時刻までの間にシーンチェンジ時刻が含まれると判断したときには、このシーンチェンジ時刻情報に対応する位置を先頭位置として、リングバッファ１９に記録された符号化された番組データを順次記録媒体２０に記録させる制御を番組データ記録制御部１８に実行させる。
【００２９】
次に、ユーザにより設定された録画予約により、デジタル放送記録装置１Ａでデジタル放送番組が録画されるときの処理について図２のフローチャートを参照して説明する。
【００３０】
まず、ユーザにより録画予約された放送番組の番組識別情報、放送予定時間、放送チャンネル等の情報が録画予約指示記憶部１７に記憶され、録画処理の実行待機状態にあるときに、録画処理の準備に必要な期間に入ったか否かを、システムコントローラ３０が監視する（Ｓ２０１）。この録画処理の準備に必要な期間とは、録画予約により録画を開始する時刻から所定時間前までの期間である。
【００３１】
システムコントローラ３０は、この期間に入ったと判定した場合には（Ｓ２０１「YES」）、受信するチャンネルを録画対象の番組のチャンネルに合わせる処理や装置内の設定等の録画準備処理を開始する（Ｓ２０２）。
【００３２】
録画準備処理が開始されると、アンテナ２で受信された放送電波から、録画予約により指定されたデジタル放送番組の放送データが、放送受信部１１で取得され復調される。
【００３３】
復調された放送データは、第１信号分離部１２においてそれぞれ時刻情報が付加された、映像データと、音声データと、番組メタデータとに分離される。
【００３４】
映像データは、第１ＭＰＥＧデコーダ１３において映像データに復号され、映像出力部１４から外部のＴＶモニタ３に送出される。
【００３５】
また、音声データは、第１音声デコーダ１５において音声データに復号され、音声出力部１６から外部の音響再生装置４に送出される。
【００３６】
映像データおよび音声データは、シーンチェンジ時刻検出部２３へも送出され、シーンチェンジ時刻検出部２３は、それらの少なくとも一方に基づいて、放送番組内または放送番組間のシーンチェンジ位置を検出する。
【００３７】
また、放送データから分離された番組メタデータは、データベース２４に送出されて記憶されると共に、ＥＩＴ情報抽出部２１にも送出されＥＩＴ[ｐ／ｆ]情報が順次抽出され、抽出されたＥＩＴ[ｐ／ｆ]情報は、ＥＩＴ情報変化時刻検出部２２に送出される。
【００３８】
また、受信された放送データは、番組データ記録制御部１８の制御によりリングバッファ１９に順次記録される（Ｓ２０３）。このリングバッファ１９は、ＥＩＴ[ｐ／ｆ]情報の更新周期（例えば、３秒）より十分に長い時間分のデータが記録可能なサイズを有している。
【００３９】
放送データがリングバッファ１９に記録される際は、まずリングバッファの容量分のデータが記録され、次のデータがバッファ内の一番古いデータの記録場所に上書きにより記録されることにより、リングバッファ１９には常にその容量分の最新のデータが記録されている状態になる。
【００４０】
これらの録画準備処理が行われている間、ＥＩＴ情報変化時刻検出部２２は、録画予約指示記憶部１７に記憶された録画予約指示に基づいて、取得したＥＩＴ[ｐ／ｆ]情報中の現番組識別情報ｐが録画予約されていない番組から録画予約番組のものに変化したか否かを監視する（Ｓ２０４）。
【００４１】
ＥＩＴ[ｐ／ｆ]情報中の現番組識別情報ｐが録画予約番組のものに変化したと判定した場合（Ｓ２０４「YES」）、ＥＩＴ情報変化時刻検出部２２は、このときの時刻を示す現ＥＩＴ取得時刻情報と、その前にＥＩＴ[ｐ／ｆ]情報を取得したときの前ＥＩＴ取得時刻情報とを検出し、これらの時刻情報をデータベース２４およびシステムコントローラ３０に送出する。
【００４２】
また、シーンチェンジ時刻検出部２３は、放送番組のシーンチェンジ位置を検出して、そのときの時刻をシーンチェンジ時刻情報としてデータベース２４およびシステムコントローラ３０に送出する。
【００４３】
データベース２４は、送られてきた現ＥＩＴ取得時刻情報と、前ＥＩＴ取得時刻情報と、シーンチェンジ時刻情報とを番組メタデータに関連付けて記録する。
【００４４】
システムコントローラ３０は、送られてきた現ＥＩＴ取得時刻情報と、前ＥＩＴ取得時刻情報と、シーンチェンジ時刻情報とに基づいて、現ＥＩＴ取得時刻と前ＥＩＴ取得時刻との間にシーンチェンジ時刻があるか否かを判断する（Ｓ２０５）。
【００４５】
現ＥＩＴ取得時刻と前ＥＩＴ取得時刻との間にシーンチェンジ時刻があると判断した場合（Ｓ２０５「YES」）、システムコントローラ３０は、さらにシーンチェンジ時刻が複数あるか否かを判断する（Ｓ２０６）。
【００４６】
ここで、シーンチェンジ時刻が１つのみであると判断した場合（Ｓ２０６「NO」）、システムコントローラ３０は、このシーンチェンジ時刻であるシーンチェンジ位置を録画予約番組の先頭位置から予約録画を行うように番組データ記録制御部１８に指示を送る。すると、番組データ記録制御部１８は、システムコントローラ３０からの指示により、リングバッファ１９に記録された録画予約番組の番組データを、シーンチェンジ時刻に基づいてシーンチェンジ位置を先頭位置として番組データ記録媒体２０に記録する（Ｓ２０７）。
【００４７】
一方、現ＥＩＴ取得時刻と前ＥＩＴ取得時刻との間にシーンチェンジ時刻が複数あると判断した場合（Ｓ２０６「YES」）、システムコントローラ３０は、機能設定値記憶部２５に予め記憶された設定情報を取得し、この設定情報に基づいて、例えば、（１）この期間の中で最初のシーンチェンジ位置、（２）前後のフレームとの番組データの差分値が最大であるフレームに対応するシーンチェンジ位置、（３）この期間の中で最後のシーンチェンジ位置、のいずれかを先頭位置として選択する（Ｓ２０９）。なお、ユーザの操作により設定情報が設定され、これに基づいて選択されるようにしてもよい。
【００４８】
システムコントローラ３０は、一のシーンチェンジ位置を先頭位置として選択すると、選択したシーンチェンジ位置を先頭位置として予約録画を行うように番組データ記録制御部１８に指示を送る。すると、番組データ記録制御部１８は、その指示により、リングバッファ１９に記録された録画予約番組を、シーンチェンジ位置を先頭位置として記録媒体２０に記録する（Ｓ２１０）。
【００４９】
なお、ステップＳ２０５において現ＥＩＴ取得時刻と前ＥＩＴ取得時刻との間にシーンチェンジ時刻がないと判断した場合（Ｓ２０５「NO」）、一つ前のＥＩＴ[ｐ／ｆ]情報現ＥＩＴ取得時刻に録画予約番組が開始していたということになるので、システムコントローラ３０は、一つ前のＥＩＴ[ｐ／ｆ]情報が取得されたときの前ＥＩＴ取得時刻情報を先頭位置として、リングバッファ１９に記録された番組データを番組終了まで記録するように番組データ記録制御部１８に指示する（Ｓ２０６）。
【００５０】
そして、このようにして記録された録画予約番組の再生がユーザにより指示されると、番組データ再生制御部２６は記録媒体２０から指示該当された番組データを読み出し、第２信号分離部２７は、その番組データを映像データと音声データとに分離する。
【００５１】
第２ＭＰＥＧデコーダ２８は、分離された映像データを復号し、映像出力部１４から外部のＴＶモニタ３に出力する。また、第２音声デコーダ２９は、分離された音声データを復号し、音声出力部１６から外部の音響再生装置４に出力する。
【００５２】
以上のように、実施形態１によれば、前ＥＩＴ取得時刻と現ＥＩＴ取得時刻との間にシーンチェンジ時刻がある場合、そのシーンチェンジ時刻から番組データを記録媒体に記録するので、ＥＩＴ情報の取得タイミングと、録画予約番組の開始タイミングとの間にずれがある場合でも、録画予約番組をその先頭位置から録画することができる。
【００５３】
例えば、図３においては、３０４の位置は、次の放送番組の実際の先頭位置であるが、ＥＩＴ[ｐ／ｆ]情報が変化したタイミングＡ３０３から録画を開始すると、録画データ３０５のように録画番組の先頭３０６が録画されない。その一方、録画データ３０８のようにＥＩＴ[ｐ／ｆ]情報タイミングＡ３０３の１つ前のＥＩＴ[ｐ／ｆ]情報タイミングＢ３０７を先頭位置として録画を開始すると、この時点ではまだ前の番組の放送中であるため前の番組データ３０９が残ってしまい、どちらも正確な番組の先頭位置から録画することができない。これに対し、本実施形態によれば、このタイミングＡ３０３とタイミングＢ３０７との間で発生したシーンチェンジ位置３０４を番組の先頭位置として、録画データ３１０のように録画するため、正確な番組の開始タイミング３０４から録画を開始することができる。
【００５４】
《実施形態２》
図４に、本発明の実施形態２によるデジタル放送記録装置１Ｂの構成を示す。
【００５５】
本実施形態によるデジタル放送記録装置２の構成は、番組データ編集制御部３１を有する他は、実施形態１におけるデジタル放送記録装置１Ａの構成とほぼ同様であるため、同一の機能を有する構成については説明を省略する。
【００５６】
番組データ編集制御部３１は、記録媒体２０に記録された符号化された番組データの先頭位置を変更するための編集を実行する。
【００５７】
次に動作を説明する。
図５は、実施形態２の録画予約動作を示すフローチャートである。
【００５８】
まず、ユーザにより録画予約された放送番組の番組識別情報、放送予定時間、放送チャンネル等の情報が録画予約指示記憶部１７に記憶され、録画処理の実行待機状態にあると、システムコントローラ３０は、録画処理の準備に必要な期間に入ったか否かを監視し（Ｓ５０１）、録画処理準備期間に入ったと判定した場合（Ｓ５０１「YES」）、受信チャンネルを録画対象番組のチャンネルに合わせる等の録画準備処理を開始する（Ｓ５０２）。
【００５９】
録画準備処理が開始されると、番組データ記録制御部１８は、上記実施形態１の場合と同様に、チューナ１１が受信した放送データをリングバッファ１９に順次記録し（Ｓ５０３）、ＥＩＴ情報変化時刻検出部２２は、この録画準備処理の間、取得したＥＩＴ[ｐ／ｆ]情報中の現在放送中の番組の識別情報ｐが変化したか否かを監視し（Ｓ５０４）、変化したと判定した場合（Ｓ５０４「YES」）、変化したときの時刻を示す現ＥＩＴ取得時刻情報と、１つ前のＥＩＴ[ｐ／ｆ]情報の前ＥＩＴ取得時刻情報とをデータベース２４およびシステムコントローラ３０に送出する。ここまでは実施形態１と同様である。
【００６０】
番組データ記録制御部１８は、前ＥＩＴ取得時刻情報より１つ前のＥＩＴ取得タイミングを、当該録画予約番組の先頭位置として記録媒体２０に記録する（Ｓ５０５）。
【００６１】
次に、システムコントローラ３０は、番組データ編集制御部３１に編集処理を開始させ（Ｓ５０６）、当該録画済番組の現ＥＩＴ取得時刻とその現ＥＩＴ取得時刻の一つ前の前記ＥＩＴ情報が取得された前ＥＩＴ取得時刻との間の録画済番組を再生させ（Ｓ５０７）、その間の録画済番組にシーンチェンジ位置があるか否かを判断する（Ｓ５０８）。
【００６２】
シーンチェンジ位置があると判断した場合（Ｓ５０８「YES」）、システムコントローラ３０は、上記実施形態１のＳ２０７，２０９の処理と同様に、その間にシーンチェンジ位置が複数あるか否を判断すると共に（Ｓ５０９）、複数ある場合は（Ｓ５０９「YES」）、機能設定値に基づいていずれかのシーンチェンジ位置を選択する（Ｓ５１１）。
【００６３】
ステップＳ５１１においていずれかのシーンチェンジ位置が選択されると、番組データ編集制御部３１は、そのシーンチェンジ位置が、当該録画済番組の先頭位置となるように、記録媒体２０に記録された当該録画済番組の前ＥＩＴ取得時刻から当該シーンチェンジ時刻までのデータを削除し、データベース２４に記憶した当該番組の番組メタデータも更新する（Ｓ５１２）。
【００６４】
シーンチェンジ時刻情報が１つのみであると判断した場合（Ｓ５０９「NO」）、番組データ編集制御部３１は、このシーンチェンジ時刻情報が示す位置を当該番組の先頭位置となるように、記録媒体２０中の当該番組の符号化された番組データの前ＥＩＴ取得時刻からシーンチェンジ時刻までのデータが削除し、データベース２４に記憶した当該番組の番組メタデータも更新する（Ｓ５１０）。なお、ステップＳ５０８においてシーンチェンジ位置が検出されなかったときには（Ｓ５０８「NO」）、処理は終了する。
【００６５】
以上のように、実施形態２によれば、前ＥＩＴ取得時刻と現ＥＩＴ取得時刻との間にシーンチェンジ時刻がある場合、記録媒体２０に番組を録画した後にそのシーンチェンジ時刻までの録画済番組を削除する編集を行うので、ＥＩＴ情報の取得タイミングと、録画予約番組の開始タイミングとの間にずれがある場合でも、録画予約番組をその先頭位置から保存することができる。
【００６６】
なお、実施形態１、２のデジタル放送記録装置の放送受信部１１、第１信号分離部１２、番組データ記録制御部１８、ＥＩＴ情報抽出部２１、ＥＩＴ情報変化時刻検出部２２、およびシーンチェンジ時刻検出部２３の機能構成をプログラム化してコンピュータに組み込むことにより、当該コンピュータをデジタル放送番組記録装置として機能させるデジタル放送番組記録プログラムを構築するようにしても勿論よい。
【図面の簡単な説明】
【００６７】
【図１】本発明の実施形態１のデジタル放送記録装置の構成を示すブロック図である。
【図２】実施形態１のデジタル放送記録装置の動作を示すフローチャートである。
【図３】実施形態１のデジタル放送記録装置の録画動作を示す説明図である。
【図４】本発明の実施形態２におけるデジタル放送記録装置の構成を示すブロック図である。
【図５】実施形態２のデジタル放送記録装置の動作を示すフローチャートである。
【符号の説明】
【００６８】
１Ａ、１Ｂ…デジタル放送記録装置
１１…放送受信部
１２…第１信号分離部
１８…番組データ記録制御部
１９…リングバッファ
２０…記録媒体
２２…ＥＩＴ情報変化時刻検出部
２３…シーンチェンジ時刻検出部
３０…システムコントローラ
３１…番組データ編集制御部
【図１】
2009260429.tif 000003
【図２】
2009260429.tif 000004
【図３】
2009260429.tif 000005
【図４】
2009260429.tif 000006
【図５】
2009260429.tif 000007